(57)【特許請求の範囲】
【請求項１】
入金取引時に顧客が紙幣を投入する接客口と、紙幣の鑑別を行う鑑別部と、この鑑別部で入金可能と鑑別された紙幣を一時的に保留する第１の一時保留部と、前記鑑別部で入金不可と鑑別された紙幣を一時的に保留する第２の一時保留部と、前記接客口から前記鑑別部の入口を経て出口に至るように設けられた第１の搬送路と、前記鑑別部の出口から前記第１，第２の一時保留部に至るように設けられた第２の搬送路とを備えた紙幣処理装置において、
前記接客口に投入された紙幣のうち、短手方向に２つに折れた半折れ紙幣を検出する検出手段を第１の搬送路に設けると共に、
前記検出手段が半折れ紙幣を検知したとき、少なくとも前記第１の搬送路を停止させ、その後この第１の搬送路の紙幣の搬送方向を逆方向に切り替えて、前記半折れ紙幣を含む前記第１の搬送路中の紙幣を前記接客口に送り戻すよう制御する制御手段を設け、
かつ、前記接客口から紙幣を返却する際、返却紙幣の中に半折れ紙幣が存在することを表示する顧客操作表示部を設けたことを特徴とする紙幣処理装置。
【請求項２】
請求項１において、
検出手段は第１の搬送路における接客口に近い位置に配置したことを特徴とする紙幣処理装置。
【請求項３】
請求項１において、
検出手段が半折れ紙幣を検知したとき、制御部は第１の搬送路と第２の搬送路を停止させ、その後この両搬送路の紙幣の搬送方向を逆方向に切り替えて、両搬送路中の紙幣を前記接客口に送り戻すよう制御するものとしたことを特徴とする紙幣処理装置。
【発明の詳細な説明】
【０００１】
【発明の属する技術分野】
本発明は、顧客の操作によって取引を行う自動取引装置に組み込まれる紙幣処理装置に関するものである。
【０００２】
【従来の技術】
金融機関の店舗のＣＳコーナー等に設置される自動取引装置には、紙幣の入出金処理のための紙幣処理装置が組み込まれている。
一般に従来のこの種の紙幣処理装置においては、顧客が装置内に投入した紙幣を入金処理する機能、顧客に対して出金を行う機能、出金のための紙幣を収納庫に補充する機能、及び精査のために収納庫から紙幣を回収する機能を有しているが、そのうちの入金処理は以下のように行われる。
【０００３】
まず、顧客が接客口に一括して投入した紙幣を１枚づつ分離して鑑別部に搬送し、この鑑別部で真偽，金種，正損等の鑑別、及び搬送異常の検知を行って、その結果、偽券と鑑別された紙幣や搬送異常が検知された紙幣をリジェクト紙幣としてリジェクト用集積部に集積すると共に、真券と鑑別された紙幣は所定の一時集積部に集積する。
【０００４】
そして、顧客が投入した紙幣をすべてリジェクト用集積部と一時集積部に集積した後、リジェクト用集積部のリジェクト紙幣を接客口に戻して顧客に返却すると共に、真券として一時集積部に集積した紙幣の金額を顧客に表示して、入金金額を顧客に承認させた上で、これらの紙幣を各入出金用収納庫に収納する。
【０００５】
【発明が解決しようとする課題】
しかしながら、上述した従来の紙幣処理装置では、以下の問題がある。
すなわち、入金処理において、顧客が接客口に投入した紙幣の中に短手方向に２つに折れた半折れ紙幣が存在した場合、この半折れ紙幣は鑑別部での鑑別等によりリジェクト紙幣として扱われ、リジェクト用集積部に集積された後、接客口に戻して顧客に返却することになるが、通常の紙幣に比べて長さが短いため、リジェクト用集積部に設けられている通常の分離繰り出し手段では繰り出すことができないことがあり、その場合、顧客に返却できないため、装置を止めて調査することが必要になる等の問題がある。
【０００６】
このような問題を解決するための対策として、リジェクト用集積部に半折れ紙幣を検出するためのセンサを備えると共に、半折れ紙幣専用の繰り出し手段を設けて、センサにより半折れ紙幣を検出したとき、専用の繰り出し手段で半折れ紙幣を繰り出すようにしたものもあるが、このような専用の繰り出し手段を設けた場合、部品数や機構の増加によるコスト高や装置の大型化を招くという問題を生じ、専用の繰り出し手段の動作頻度が少ないことを考えると割りが合わないものとなる。
【０００７】
また、半折れ紙幣専用の繰り出し手段を設ける、設けないに係わらず、従来の紙幣処理装置では、接客口から鑑別部を経てリジェクト用集積部にいたる搬送路は、半折れ紙幣の搬送が可能なように搬送路を成す搬送ローラの配設ピッチを設定しなければならず、ローラ数が増えてコスト高になるという問題がある。
従って、本発明は、構造が簡単で半折れ紙幣の返却処理が容易な紙幣処理装置を実現することを課題とするものである。
【０００８】
【課題を解決するための手段】
そのため本発明は、入金取引時に顧客が紙幣を投入する接客口と、紙幣の鑑別を行う鑑別部と、この鑑別部で入金可能と鑑別された紙幣を一時的に保留する第１の一時保留部と、前記鑑別部で入金不可と鑑別された紙幣を一時的に保留する第２の一時保留部と、前記接客口から前記鑑別部の入口を経て出口に至るように設けられた第１の搬送路と、前記鑑別部の出口から前記第１，第２の一時保留部に至るように設けられた第２の搬送路とを備えた紙幣処理装置において、前記接客口に投入された紙幣のうち、短手方向に２つに折れた半折れ紙幣を検出する検出手段を第１の搬送路に設けると共に、前記検出手段が半折れ紙幣を検知したとき、少なくとも前記第１の搬送路を停止させ、その後この第１の搬送路の紙幣の搬送方向を逆方向に切り替えて、前記半折れ紙幣を含む前記第１の搬送路中の紙幣を前記接客口に送り戻すよう制御する制御手段を設け、かつ、前記接客口から紙幣を返却する際、返却紙幣の中に半折れ紙幣が存在することを表示する顧客操作表示部を設けたことを特徴とする。
【０００９】
【発明の実施の形態】
以下、図面を参照して本発明の実施の形態を説明する。
図１は実施の形態による紙幣処理装置の内部構成を示す側面図である。
図において１は自動取引装置で、この自動取引装置１に紙幣処理装置２が内蔵されている。
【００１０】
この紙幣処理装置２の内部には、紙幣を収納する入出金用収納庫（第１の紙幣収納庫）３、この入出金用収納庫３より小型の入出金用収納庫（第２の紙幣収納庫）４、紙幣の鑑別や搬送異常の検知等を行う鑑別部５、顧客による紙幣の投入や顧客に対する紙幣の払い出しを行う接客口６、複数金種の紙幣を混在して収納することが可能でかつ入出金用収納庫３，４に対して紙幣の補充または回収を行う一括収納庫（第３の紙幣収納庫）７、リジェクト紙幣収納庫（第４の紙幣収納庫）８がそれぞれ設けられている。
【００１１】
ここで、入出金用収納庫３内にはステージ３ａが上下動可能に設けられ、入出金用収納庫３内に収納する紙幣はこのステージ３ａ上に積載されるものとなっている。
この入出金用収納庫３の上部には一時保留部（第１の一時保留部）１０が設けられており、この一時保留部１０は、複数のローラ等から成る繰り出し集積手段１０ａと、この繰り出し集積手段１０ａの下に開閉可能に備えられるシャッター１０ｂ等によって構成され、シャッター１０ｂを閉状態として繰り出し集積手段１０ａの動作によりこのシャッター１０ｂ上に紙幣を集積して一時保留させると共に、このシャッター１０ｂ上に一時保留させた紙幣を繰り出し集積手段１０ａにより繰り出す動作、シャッター１０ｂを開いて該シャッター１０ｂ上の紙幣を入出金用収納庫３内に収納する動作、及びシャッター１０ｂを開状態として繰り出し集積手段１０ａにより入出金用収納庫３内のステージ３ａ上の紙幣を繰り出す動作を行うものとなっている。
【００１２】
また、入出金用収納庫４内にはステージ４ａが上下動可能に設けられ、入出金用収納庫４内に収納する紙幣はこのステージ４ａ上に積載されるものとなっている。
この入出金用収納庫４の上部には一時保留部（第２の一時保留部）１１が設けられており、この一時保留部１１は、複数のローラ等から成る繰り出し集積手段１１ａと、この繰り出し集積手段１１ａの下に開閉可能に備えられるシャッター１１ｂ等によって構成され、シャッター１１ｂを閉状態として繰り出し集積手段１１ａの動作によりこのシャッター１１ｂ上に紙幣を集積して一時保留させると共に、このシャッター１１ｂ上に一時保留させた紙幣を繰り出し集積手段１１ａにより繰り出す動作、シャッター１１ｂを開いて該シャッター１１ｂ上の紙幣を入出金用収納庫３内に収納する動作、及びシャッター１１ｂを開状態として繰り出し集積手段１１ａにより入出金用収納庫３内のステージ４ａ上の紙幣を繰り出す動作を行うものとなっている。
【００１３】
一方、鑑別部５は紙幣の金種、真偽、正損、表裏等の鑑別を行うと共に、紙幣の計数、紙幣の斜行や重ね送り等の搬送異常の検知を行うもので、この鑑別部５は双方向に搬送される紙幣のどちらでも鑑別、計数、搬送異常の検知が可能となっている。
一括収納庫７の内部には、複数金種の紙幣を混在させて収納できる紙幣収納部１５、回収する紙幣を収納する回収部１６、及び紙幣補充の際に出金用紙幣として不適と鑑別された紙幣が収納されるリジェクト紙幣収納部１７が上下方向に３段に分けて設けられており、紙幣収納部１５の上部には紙幣の分離繰り出しを行う複数のローラーから成る繰り出し手段１２が設けられ、回収部１６下部とリジェクト紙幣収納部１７に対応させてそれぞれ紙幣を取り入れて集積させる複数のローラーから成る集積手段１３，１４が設けられている。
【００１４】
また、紙幣収納部１５には紙幣を積載するステージ１５ａが上下動可能に設けられており、このステージ１５ａと図示しない積み替え手段との協動により回収部１６に収納した紙幣を前記ステージ１５ａ上に積み替えて再度補充や出金に用いることが可能となっている。
更に、リジェクト紙幣収納庫８は、出金動作時に顧客が取り忘れた紙幣を収納する取り忘れ紙幣収納部９ａと、出金動作時や回収動作時に鑑別部５により偽券と鑑別された紙幣や搬送異常が検知された紙幣等を収納するリジェクト紙幣収納部９ｂにより構成され、このリジェクト紙幣収納庫８と一括収納庫７はそれぞれ紙幣処理装置２に対して着脱可能になっている。
【００１５】
１８ａ〜１８ｃは紙幣を挟持して搬送する搬送ローラ等から成る搬送路で、前記接客口６、鑑別部５、及び前記各手段１０ａ，１１ａ，及び１２〜１４を結ぶように設けられている。
すなわち、搬送路１８ａは、接客口６から鑑別部５の入口を経て出口に至るように設けられている。
【００１６】
この搬送路１８ａにおける接客口６に近い位置には、紙幣の短手方向すなわち搬送方向の長さを検出する検出センサ５１が配置されている。
また、搬送路１８ｂは、鑑別部５の出口から一時保留部１１の繰り出し集積手段１１ａを経て一時保留部１０の繰り出し集積手段１０ａにいたるように設けられ、更に、搬送路１８ｃは繰り出し集積手段１０ａから一括収納庫７の集積手段１３，１４を経てリジェクト紙幣収納庫８のリジェクト紙幣収納部９ｂに至り、かつ集積手段１３から搬送路１８ａの途中に合流するように設けられている。
【００１７】
１９ａ〜１９ｇは紙幣の搬送方向を切り替える切り替えブレードで、それぞれ搬送路１８ａ〜１８ｃの分岐あるいは合流点に設けられている。
２０は自動取引装置１の前面側上部に設けられた顧客が操作を行う顧客操作部２０で、この顧客操作部２０は例えばＣＲＴやＬＣＤ等の表示部と組み合わせたタッチパネル等で構成され、顧客が取引種別、取引金額、暗証番号等の取引に必要な情報を入力できるようになっている。
【００１８】
尚、自動取引装置１には、上記構成の他に、図示しない明細票印刷装置、カード処理装置、通帳記帳機等が設けられているが、これらについては本発明と直接関係がないので、その説明を省略する。
図２は本実施の形態における制御系を示すブロック図である。
この図に示した３１は自動取引装置１の動作全体を制御する主制御部で、この主制御部３１には、顧客操作部２０及び紙幣処理装置２の制御部３２が接続されている。
【００１９】
この制御部３２は主制御部３１からの指示に基づいて紙幣処理装置２の動作全体を制御する制御手段として機能するもので、この制御部３２にはＩ／Ｏインタフェース回路３３を介してモータ駆動回路３４，３８，４２、マグネット駆動回路３６，４０，４４、及び検出回路４６が接続されており、更に、モータ駆動回路３４，３８，４２には搬送路１８ａ〜１８ｃ等を駆動するモータ３５，３９，４３が、マグネット駆動回路３６，４０，４４には切り替えブレード１９ａ〜１９ｇを駆動するプランジャマグネット３７，４１，４５が、検出回路４６には紙幣の短手方向の長さを検出するセンサ５１がそれぞれ接続されている。
【００２０】
これら３４〜３８の構成要素は３つの駆動系１０１〜１０３に分けられる。
すなわち、駆動系１０１はモータ駆動回路３４，モータ３５，マグネット駆動回路３６，及びプランジャマグネット３７によって構成され、また駆動系１０２はモータ駆動回路３８，モータ３９，マグネット駆動回路４０，及びプランジャマグネット４１によって構成され、更に駆動系１０２はモータ駆動回路４２，モータ４３，マグネット駆動回路４４，及びプランジャマグネット４５により構成されている。
【００２１】
ここで、駆動系１０１は図１で説明した接客口６，搬送路１８ａ等を駆動するもので、駆動系１０２は入出金用収納庫３，４のステージ３ａ，４ａや一時保留部１０，１１の繰り出し集積手段１０ａ，１１ａ及び搬送路１８ｂ等を駆動するものであり、また、駆動系１０３は一括収納庫７の繰り出し手段１２，集積手段１３，１４やステージ１５ａ及び搬送路１８ｃ等を駆動するものである。
【００２２】
但し、ここで示したモータ駆動回路３４，３８，４２、マグネット駆動回路３６，４０，４４、モータ３５，３９，４３、及びプランジャマグネット３７，４１，４５は、各駆動系１０１〜１０３の代表として示したもので、これらによって図１に示した構成要素すべてを駆動する訳ではない。
例えば、駆動系１０２における入出金用収納庫３，４のステージ３ａ，４ａや一時保留部１０，１１の繰り出し集積手段１０ａ，１１ａ及び搬送路１８ｂは、１個のモータ３５で駆動される訳ではなく、それぞれ別のモーターで駆動されるものであり、駆動系１０１及び〜１０３においても同様であって、切り替えブレード１９ａ〜１９ｇも同様に独立したプランジャマグネットにより駆動されるものとなっている。
【００２３】
次に、上述した構成における入金動作について図１を参照して説明する。
尚、以下の作用において、切替えブレード１９ａ〜１９ｇは制御部３２により適宜に制御されるものとし、その説明は省略する。
また、モータ駆動回路３４，３８，４２及びモータ３５，３９，４３の動作についても、特に重要なものではないのでその説明は省略するものとする。
【００２４】
まず、顧客が顧客操作部２０で入金取引を選択し、接客口６の図示しないシャッターが開いた後、顧客が入金用の紙幣を接客口６に投入すると、前記シャッターが閉じ、図示しない分離手段により接客口６から紙幣が１枚ずつ搬送路１８ａに繰り出される。
繰り出された紙幣は搬送路１８ａにより鑑別部５へ送られ、この鑑別部５で金種、真偽、表裏等の鑑別が行われると共に、紙幣の斜行や重ね送り等の搬送異常の検知が行われる。
【００２５】
鑑別の結果、偽券と鑑別された紙幣や搬送異常が検知された紙幣は入金リジェクト紙幣として搬送路１８ｂにより搬送され、繰り出し集積手段１１ａにより一時保留部１１のシャッター４ｂ上に集積される。
一方、前記鑑別部５で真券と鑑別された紙幣は金種毎に計数され、搬送路１８ｂによりにより搬送され、繰り出し集積手段１０ａにより一時保留部１０のシャッター１０ｂ上に集積される。
【００２６】
顧客が接客口６に投入したすべての紙幣が鑑別され、一時保留部１０または一時保留部１１に集積された後、一時保留部１１に集積されている入金リジェクト紙幣は、繰り出し集積手段１１ａにより搬送路１８ｂに繰り出され、この搬送路１８ｂから搬送路１８ａの順に搬送されて接客口６へ送り戻された後、顧客に返却される。
【００２７】
このリジェクト紙幣を顧客が受け取ったことが確認されると一時保留部１０に集積した紙幣の金額等を顧客操作部２０の表示部に表示して顧客の確認を促し、ここで顧客が確認ボタンを押下すことで入金が確定する。
この場合、一時保留部１０に集積されている紙幣は、万券のみ、千券のみ、五千券のみ、あるいは２金種以上の紙幣の混在の場合があり得るので、この一時保留部１０に集積されている紙幣は、その金種や混在状態に応じて入金確定後、以下のように収納処理される。
【００２８】
例えば、一時保留部１０に集積されている紙幣が万券のみで、かつ鑑別部５で表と鑑別された紙幣のみの場合、一時保留部１０のシャッター１０ｂが開き、これにより紙幣はそのまま入出金用収納庫３内に落下し、ステージ３ａ上の紙幣の上に積み重ねられる。
また、一時保留部１０に集積されている紙幣が千券のみの場合、一時保留部１０に集積されている紙幣は繰り出し集積手段１０ａによって搬送路１８ｂに繰り出され、一時保留部１１のシャッター１１ｂ上に移し替えられた後、シャッター１１ｂが開き、これにより紙幣はそのまま入出金用収納庫４内に落下し、ステージ４ａ上の紙幣の上に積み重ねられる。
【００２９】
一方、一時保留部１０に集積されている紙幣が五千券のみの場合、一時保留部１０に集積されている紙幣は、繰り出し集積手段１０ａにより搬送路１８ｂに繰り出され、搬送路１８ｃによりリジェクト紙幣収納部９ｂに搬送されて、このリジェクト紙幣収納部９ｂに送り込まれて収納される。
更に、一時保留部１０に集積されている紙幣が２金種以上混在している場合、一時保留部１０に集積されている紙幣はくり出し集積手段１０ａにより搬送路１８ｂに繰り出され、この搬送路１８ｂから搬送路１８ａを経て一旦接客口６へ送り戻されて集積される。
【００３０】
その後、紙幣は分離手段によって接客口６から１枚ずつ搬送路１８ａに繰り出され、繰り出された紙幣は搬送路１８ａにより鑑別部５へ送られ、金種，表裏等の再鑑別が行われる。
その結果、万券の紙幣は搬送路１８ｂにより一時保留部１０に送られ、繰り出し集積手段１０ａにより一時保留部１０のシャッター１０ｂ上に集積される。
【００３１】
また、千券の紙幣は搬送路１８ｂにより一時保留部１１に送られ、繰り出し集積手段１１ａにより一時保留部１１のシャッター１１ｂ上に集積される。
裏と鑑別された万券及び千券の紙幣はルートＢを通り、集積手段１３により一括収納庫７の回収部１６に集積される。
更に、五千券と鑑別された紙幣は搬送路１８ｂ、１８ｃによりリジェクト紙幣収納部９ｂに搬送されて、このリジェクト紙幣収納部９ｂに送り込まれて収納される。
【００３２】
そして、接客口６の紙幣がすべて繰り出されて、一時保留部１０または一時保留部１１に集積された後、一時保留部１０及び１１のシャッター１０ｂ，１１ｂが開き、これにより一時保留部１０及び１１の紙幣はそのまま入出金用収納庫３及び４内に落下し、ステージ３ａ及び４ａ上の紙幣の上に積み重ねられる。
以上が通常の入金処理動作であるが、次に図３〜図６を参照して本実施の形態における作用について説明する。
【００３３】
図３〜図５は顧客が接客口に投入した紙幣の中に半折れ紙幣が存在した場合の処理手順を示す側面図で、図中５２ａ〜５２ｉは紙幣である。
入金取引において、接客口６の図示しないシャッターが開いた後、顧客が入金用の紙幣を接客口６に投入すると、前記シャッターが閉じ、図示しない分離手段により接客口６から紙幣が１枚ずつ搬送路１８ａに繰り出されることはすでに述べた通りであるが、この搬送路１８ａの接客口６に近い位置にはセンサ５１が設けられていて、このセンサ５１が各紙幣の通過を検出する。
【００３４】
図２に示した検出回路４６は、このセンサ５１からの検出出力に基づいて紙幣の長さを検出する。
この検出回路４６により図３に示した長さが短い半折れ紙幣５２ａが検出されると、制御部３２は搬送路１８ａのみを停止させる。
このとき搬送路１８ａには紙幣５２ａの他に紙幣５２ｂ，５２ｃが存在し、また搬送路１８ｂには紙幣５２ｄ，５２ｅが存在するものとする。
【００３５】
そして、一時保留部１０には紙幣５２ｆ，５２ｈが存在し、一時保留部１１には紙幣５２ｇ、更に接客口６には紙幣５２ｉが存在しているものとする。
制御部３２は、前記のように搬送路１８ａを停止させた後、この搬送路１８ａの搬送方向を逆方向に切り替える。
これにより搬送路１８ａ中に存在している半折れ紙幣５２ａ及び紙幣５２ｂ，５２ｃは図４に示したように逆送りされて接客口６に送り戻され、接客口６に存在する紙幣５２ｉと共に集積される。
【００３６】
一方、搬送路１８ｂ中に存在している紙幣５２ｄ，５２ｅ及び一時保留部１０の集積途中の紙幣５２ｆはすでに鑑別部５での鑑別が終了しているので、その鑑別結果に従って一時保留部１０，１１のそれぞれのシャッター１０ｂ，１１ｂ上に集積する。
その後、一時保留部１１のシャッター１１ｂに集積されている入金リジェクトの紙幣５２ｇは、図５に示したように繰り出し集積手段１１ａにより搬送路１８ｂに繰り出され、この搬送路１８ｂから搬送路１８ａの順に搬送されて接客口６へ送り戻される。
【００３７】
これにより紙幣５２ｇは半折れ紙幣５２ａ及び紙幣５２ｂ，５２ｃ，５２ｉと共に集積され、その後顧客に返却される。
このとき、顧客に対して返却紙幣の中に半折れ紙幣が存在することを顧客操作部２０に表示して注意を促すようにするとよい。
一時保留部１０に集積された紙幣は、前記の通常の入金処理の場合と同様の手順で入金処理される。
【００３８】
無論、顧客が返却を要求すれば、接客口６へ送り戻されて、返却される。
図６は顧客が接客口に投入した紙幣の中に半折れ紙幣が存在した場合の別の処理手順を示す側面図である。
この場合の処理は、接客口６から搬送路１８ａに繰り出された半折れ紙幣が検知され、検出回路４６により検出されると、制御部３２は搬送路１８ａ，１８ｂを停止させ、その後、制御部３２は搬送路１８ａ，１８ｂの搬送方向を逆方向に切り替える。
【００３９】
これにより搬送路１８ａ，１８ｂ中に存在している半折れ紙幣５２ａ及び紙幣５２ｂ，５２ｃ，５２ｄ，５２ｅは逆送りされて接客口６に送り戻され、接客口６に存在する紙幣５２ｉと共に集積される。
また、一時保留部１０の繰り出し集積手段１０ａの手前のある紙幣５２ｆも接客口６に送り戻されて集積される。
【００４０】
以後は、図３〜図５で説明したように処理される。
尚、上述した実施の形態では、運用形態として入出金用収納庫３に万券を、また入出金用収納庫４に千券を収納するものとしたが、本発明はこれに限られるものではなく、例えば、入出金用収納庫３に千券を、また入出金用収納庫４に万券を収納するようにしてもよく、また入出金用収納庫３と入出金用収納庫４に万券または千券を収納して１金種で運用を行うようにしてもよい。
【００４１】
また、入金取引時に顧客により接客口６に投入された紙幣のうち、五千円の紙幣を入金確定後、リジェクト用収納庫８のリジェクト紙幣収納部９ａに収納するものとしたが、一括収納庫７のリジェクト紙幣収納部１７に収納するようにしてもよく、その運用形態は任意である。
【００４２】
【発明の効果】
以上説明したように、本発明は、接客口に投入された紙幣のうち、短手方向に２つに折れた半折れ紙幣を検出する検出手段を、接客口から鑑別部の入口を経て出口に至るように設けられた第１の搬送路に設けると共に、検出手段が半折れ紙幣を検出したとき、少なくとも前記第１の搬送路を停止させ、その後この第１の搬送路の紙幣の搬送方向を逆方向に切り替えて、前記半折れ紙幣を含む前記第１の搬送路中の紙幣を前記接客口に送り戻すよう制御する制御手段を設けた構成としているため、入金取引時に接客口に投入された紙幣の中に半折れ紙幣があっても、鑑別部に至る前にその半折れ紙幣を検出して直ちに接客口に戻して返却できるため、半折れ紙幣の返却処理が容易になるという効果が得られる。
【００４３】
また、従来のような半折れ紙幣専用の繰り出し手段を設ける必要がないため、構造が簡単となり、しかも検出手段が半折れ紙幣を検出した直後に、この半折れ紙幣を接客口に送り戻すようにしているため、半折れ紙幣を搬送する搬送ローラの配設ピッチの小さい搬送路長が短くなって、ローラ数が減少するためコストを低減できるという効果も得られる。
【図面の簡単な説明】
【図１】本発明による紙幣処理装置の実施の形態を示す側面図である。
【図２】実施の形態における制御系のブロック図である。
【図３】実施の形態の作用を示す側面図である。
【図４】実施の形態の作用を示す側面図である。
【図５】実施の形態の作用を示す側面図である。
【図６】実施の形態の別の作用を示す側面図である。
【符号の説明】
３  入出金用収納庫
４  入出金用収納庫
５  鑑別部
６  接客口
７  一括収納庫
１０  一時保留部
１０ａ  繰り出し集積手段
１０ｂ  シャッター
１１  一時保留部
１１ａ  繰り出し集積手段
１１ｂ  シャッター
１５  紙幣収納部
１６  回収部
１７  リジェクト紙幣収納部
１８ａ〜１８ｃ  搬送路
【図１】
0004052529.tif 000002
【図２】
0004052529.tif 000003
【図３】
0004052529.tif 000004
【図４】
0004052529.tif 000005
【図５】
0004052529.tif 000006
【図６】
0004052529.tif 000007